(57)【要約】【課題】排紙後の記録用紙の状態に応じて、複数パターンの記録用紙のカールを矯正および低減させることのできるインクジェット記録装置を提供する。【解決手段】実施形態のインクジェット記録装置は、記録領域に設けられ水性インクにより記録用紙に画像を形成する記録ヘッドと、前記記録ヘッドの下流側に設けられ、前記記録用紙の排出方向と平行である排紙面両端部が中央領域に対して相対的に低い高さ位置にある第３の排紙トレイと、前記記録ヘッドの下流側に設けられ、前記記録用紙の排出方向と平行である排紙面両端部が中央領域に対して相対的に高い高さ位置にある第２の排紙トレイと、前記画像の情報を解析する解析結果に基づいて記録後の記録用紙を前記第２の排紙トレイまたは前記第３の排紙トレイに搬送先を決定するプロセッサとを備える。【選択図】図３
2013144375.tif 000002
【特許請求の範囲】
【請求項１】
記録領域に設けられ水性インクにより記録用紙に画像を形成する記録ヘッドと、
前記記録ヘッドの下流側に設けられ、前記記録用紙の排出方向と平行である排紙面両端部が中央領域に対して相対的に低い高さ位置にある第３の排紙トレイと、
前記記録ヘッドの下流側に設けられ、前記記録用紙の排出方向と平行である排紙面両端部が中央領域に対して相対的に高い高さ位置にある第２の排紙トレイと、
前記画像の情報を解析する解析結果に基づいて記録後の記録用紙を前記第３の排紙トレイまたは前記第２の排紙トレイに搬送先を決定するプロセッサと、
を備えたインクジェット記録装置。
【請求項２】
前記画像の情報は前記記録用紙の第１面および第２面の画像面積率を含み、
前記プロセッサは、前記画像面積率について予め記憶されている画像データに基づき前記記録後の記録用紙の湾曲方向を予測し、前記記録後の記録用紙は前記予測の結果に基づき前記第２の排紙トレイまたは前記第３の排紙トレイに排紙される、請求項１記載のインクジェット記録装置。
【請求項３】
前記プロセッサは、前記予測した記録用紙の湾曲方向と排紙トレイの排紙面両端部と中央部の湾曲方向が逆の関係になるように、前記第２の排紙トレイまたは前記第３の排紙トレイへ記録用紙の排紙先を決定し、前記第２の排紙トレイまたは前記第３の排紙トレイへ記録用紙を排紙させる請求項２記載のインクジェット記録装置。
【発明の詳細な説明】
【技術分野】
【０００１】
本発明の実施形態は、プリンタ等に使用されるインクジェット記録装置に関する。
【背景技術】
【０００２】
従来のインクジェット記録装置に用いるインクとして、画質の良さ等から水性インクを使用する場合がある。
【０００３】
このインクジェット記録装置は、水性インクジェットインクを用いて印刷する場合、記録用紙の紙繊維がインクに含まれる水分を吸収し、膨張して湾曲してしまう虞がある。これを改善するために、排紙トレイの形状に湾曲を持たせて記録用紙カールを矯正するインクジェット記録装置が知られている。
【先行技術文献】
【特許文献】
【０００４】
【特許文献１】特開平１０−２２６４５０号公報
【発明の概要】
【発明が解決しようとする課題】
【０００５】
しかしながら、このインクジェット記録装置は、トレイの湾曲が１種類に限定されているため、一方向のカール変形にしか対応できないという問題点がある。
【０００６】
本発明が解決しようとする課題は、排紙後の記録用紙の状態に応じて、複数パターンの記録用紙のカールを矯正および低減させることのできるインクジェット記録装置を提供することである。
【課題を解決するための手段】
【０００７】
上記課題を解決するために、実施形態のインクジェット記録装置は、記録領域に設けられ水性インクにより記録用紙に画像を形成する記録ヘッドと、前記記録ヘッドの下流側に設けられ、前記記録用紙の排出方向と平行である排紙面両端部が中央領域に対して相対的に低い高さ位置にある第１の排紙トレイと前記記録ヘッドの下流側に設けられ、前記記録用紙の排出方向と平行である排紙面両端部が中央領域に対して相対的に高い高さ位置にある第２の排紙トレイと、前記画像の情報を解析する解析結果に基づいて記録後の記録用紙を前記第２の排紙トレイまたは前記第１の排紙トレイに搬送先を決定するプロセッサとを備える。
【図面の簡単な説明】
【０００８】
【図１】本実施形態のインクジェット記録装置を表す説明図。
【図２】本実施形態の排紙トレイの簡略説明図であり、（ａ）は第２の排紙トレイを表す図、（ｂ）は第１の排紙トレイを表す図。
【図３】本実施形態の制御回路を説明するブロック図。
【図４】本実施形態の排紙トレイの選択について説明するフローチャート図。
【図５】本実施形態の図４をさらに詳しく説明するフローチャート図であり、(ａ)は両面印刷を行う場合であり、（ｂ）は片面印刷を行う場合を示す。
【発明を実施するための形態】
【０００９】
以下、本実施形態について説明する。４色インクジェットヘッドおよび両面印刷専用の４色インクジェットヘッドを備えたインクジェット記録装置一実施例について説明する。
【００１０】
まず図１を用いてインクジェット記録装置１の構成について説明する。用紙カセット１００、１０１は、サイズの異なる記録用紙を保持する。給紙ローラ１０２、１０３は、用紙カセット１００、１０１から記録用紙を取り出し、搬送ローラ対１０４、１０５およびレジストローラ対１０６に搬送する。
【００１１】
搬送ベルト１０７は、駆動ローラ１０８と２本の従動ローラ１０９によって張力が与えられる。搬送ベルト１０７の表面には無数の小径孔が所定間隔で形成されている。搬送ベルト１０７の裏面には負圧チャンバ１１１の天板が密着して設置されている。負圧チャンバ１１１はダクト２３を介してファン１１０に連結されており、ファン１１０の回転に伴って、搬送ベルト１０７の内側に記録用紙Ｐが吸着される。
【００１２】
搬送ベルト１０７の上方には、画像データに応じて記録用紙Ｐにインクを吐出する４列のインクジェットヘッドが並んでいる。４列のインクジェットヘッドは、用紙搬送経路の上流側から、シアン（Ｃ）インクを吐出するインクジェットヘッド１１５Ｃ、マゼンタ（Ｍ）インクを吐出するインクジェットヘッド１１５Ｍ、イエロー（Ｙ）インクを吐出するインクジェットヘッド１１５Ｙ、ブラック（Ｂｋ）インクを吐出するインクジェットヘッド１１５Ｂｋ、の順に配置される。
【００１３】
更に各インクジェットヘッド１１５には、各色のインクが保持されるシアン（Ｃ）インクカートリッジ１１６Ｃ、マゼンタ（Ｍ）インクカートリッジ１１６Ｍ、イエロー（Ｙ）インクカートリッジ１１６Ｙ、ブラック（Ｂｋ）インクカートリッジ１１６Ｂｋが設けられており、それぞれチューブ１１８で連結される。これらの画像形成部は、記録用紙Ｐの第１面印刷専用の画像形成部として配設される。
【００１４】
第１面印刷専用の画像形成部の上部には、第２面印刷専用の画像形成部が配設される。第２面印刷専用の画像形成部は、第１面印刷専用の画像形成部と同様の構成で配設される。
【００１５】
更に記録用紙Ｐを第２面印刷専用の画像形成部に搬送するための搬送ローラ対１３２、１３３、及びレジストローラ対１３４が設置される。
【００１６】
搬送ベルト３０７の上方には、画像データに応じて記録用紙Ｐにインクを吐出する、第２面印刷専用の４列のインクジェットヘッドが並んでいる。４列のインクジェットヘッドは、用紙搬送経路の上流側から、シアン（Ｃ）インクを吐出するインクジェットヘッド３１５Ｃ、マゼンタ（Ｍ）インクを吐出するインクジェットヘッド３１５Ｍ、イエロー（Ｙ）インクを吐出するインクジェットヘッド３１５Ｙ、ブラック（Ｂｋ）インクを吐出するインクジェットヘッド３１５Ｂｋ、の順に配置される。
【００１７】
更に各インクジェットヘッド３１５には、各色インクが保持されるシアン（Ｃ）インクカートリッジ３１６Ｃ、マゼンタ（Ｍ）インクカートリッジ３１６Ｍ、イエロー（Ｙ）インクカートリッジ３１６Ｙ、ブラック（Ｂｋ）インクカートリッジ３１６Ｂｋが設けられており、それぞれチューブ３１８で連結される。これらの画像形成部は、記録用紙Ｐの第２面印刷専用の画像形成部として配設される。
【００１８】
排紙側には搬送ローラ対１３５、１３６、４００、４０２が配設される。記録用紙Ｐの排紙は、３種の排紙トレイ１１７、４０７、４０８に対して選択的に行われるため、それぞれの排紙トレイに搬送するための排紙ローラ対１２６、４０５、４０６が設けられる。
【００１９】
第３の排紙ローラ対１２６、第２の排紙ローラ対４０５、第１の排紙ローラ対４０６への用紙搬送経路は、搬送ガイド４０３、４０４によって切り替えられる。搬送ガイド４０３、４０４は、支点（図示せず）を中心にガイド先端の向きが切り替わる。排紙ローラ対１２６、４０５、４０６は、３種の排紙トレイ１１７、４０７、４０８の上流側に設けられ、それぞれの排紙トレイ１１７、４０７、４０８へ用紙を搬送する。
【００２０】
図２を用いて、排紙トレイ１１７、４０７、４０８の形状について説明する。排紙トレイの両端部と中央部の高低差により、凹部または凸部を備える排紙トレイを形成する。ここで言う両端部とは、排紙トレイの４つの端部のうち、用紙の排出方向と平行である２つの端部のことを示す。また用紙の、排紙トレイに接する面を排紙面とする。
【００２１】
第３の排紙トレイ１１７は、排紙ローラ対１２６の下流側に設けられ、凹部も凸部も備えない、平坦な構造である。
【００２２】
第２の排紙トレイ４０７は、排紙ローラ対４０５の下流側に設けられ、例えば図２（ａ）に示すように、用紙上面に対して凹部を備える。排紙トレイの排紙面両端部は中央部に比べて高い位置にある。第２の排紙トレイ４０７を用いることで、用紙上面方向に対して凸にカールした記録用紙Ｐのカールを矯正することができる。
【００２３】
第１の排紙トレイ４０８は、排紙ローラ対２０６の下流側に設けられ、例えば図２（ｂ）に示すように、用紙上面に対して凸部を備える。排紙トレイの中央部が排紙面両端部に比べて高い位置にある。第１の排紙トレイ４０８を用いることで、用紙上面方向に対して凹にカールした記録用紙Ｐのカールを矯正することができる。すなわち、第１の排紙トレイ４０８は、第２の排紙トレイ４０７と比較して、排紙トレイの排紙面中央部と両端部の高低関係が逆の関係になっている。
【００２４】
記録用紙Ｐの排紙は、３種の排紙トレイに選択的に行われる。排紙トレイは、排紙面が平らに構成される通常の第３の排紙トレイ１１７、図２（ａ）に示す排紙面両端部が中央部に比べて高く構成される第２の排紙トレイ４０７、図４（ｂ）に示す排紙面中央部が両端部よりも高くなるように構成される第１の排紙トレイ４０８の３種類が配置される。
【００２５】
各色インクは、ブラック（Ｂｋ）、イエロー（Ｙ）、シアン（Ｃ）、およびマゼンタ（Ｍ）で、固形分や添加剤以外の組成のうち３０〜８０重量％程度水分の水性インクを用いる。
【００２６】
記録用紙は水分を吸収し、繊維方向と交差する方向に膨張する性質がある。そのため水性インクを用いて両面印刷を行なうと、相対的に画像面積率の高い面の側が凸となる。また片面印刷においても印刷面が凸となる。記録用紙が膨張する度合いは記録用紙の種類により異なる。
【００２７】
続いてインクジェット記録装置の両面印刷画像形成作用について図１を用いて説明する。
【００２８】
まず、画像処理手段（図示しない）により記録のための画像処理が開始され、第１面印刷記録のための画像データが各インクジェットヘッド１１５Ｃ、１１５Ｍ、１１５Ｙ、１１５Ｂｋに転送される。また、用紙カセット１００または１０１から給紙ローラ１０２または１０３により選択された種類の記録用紙Ｐを一枚ずつ取り出し、搬送ローラ対１０４、１０５およびレジストローラ対１０６に搬送する。
【００２９】
レジストローラ対１０６は記録用紙Ｐのスキューを補正し、所定のタイミングで搬送を行う。負圧チャンバ１１１は搬送ベルト１０７の無数の小径穴を介して空気を吸い込んでいるので、記録用紙Ｐは搬送ベルト１０７に吸着され密着された状態でインクジェットヘッド１１５下側を搬送される。このことで、インクジェット記録ヘッド１１５と記録用紙Ｐは一定の間隔を保つことができる。レジストローラ対１０６から記録用紙Ｐが搬送されるタイミングに同期させて、各インクジェット記録ヘッド１１５Ｃ、１１５Ｍ、１１５Ｙ、１１５Ｂｋから各色のインクを吐出させることで記録用紙Ｐ第1面の所望の位置にカラー画像が形成される。第１面に画像が形成された記録用紙Ｐは、搬送ローラ対１３２、１３３及びレジストローラ対１３４により第２面印刷専用の画像形成部に搬送される。レジストローラ対１３４は記録用紙Ｐのスキューを再度補正し、第２面印刷専用の画像形成部に所定のタイミングで搬送を行う。
【００３０】
負圧チャンバ３１１は搬送ベルト３０７の無数の小径穴により空気を吸い込んでいるので、記録用紙Ｐは搬送ベルト３０７に吸着された状態でインクジェット記録ヘッド３１５下側を搬送される。このことで、インクジェット記録ヘッド３１５と記録用紙Ｐを一定の間隔を精密に保つことができる。レジストローラ対１３４から記録用紙Ｐが搬送されるタイミングに同期させて、各インクジェットヘッド３１５Ｃ、３１５Ｍ、３１５Ｙ、３１５Ｂｋから各色のインクを吐出させることで記録用紙Ｐ第２面の所望の位置にカラー画像が形成される。両面に画像が形成された記録用紙Ｐは、搬送ローラ対１３５、１３６、４００、４０２及び第３の排紙ローラ対１２６、第２の排紙ローラ対４０５、第１の排紙ローラ対４０６によって第３の排紙トレイ１１７または第２の排紙トレイ４０７または第１の排紙トレイ４０８に画像記録データに記憶された画像情報から判断されるカールの状態により選択的に排紙される。
【００３１】
また、フェースダウン（印刷面が下向きの状態）で排紙する片面印刷のみを行なう場合は、記録用紙Ｐは、両面印刷する場合の第１面印刷専用の画像形成部の印刷をスルーさせ、第２面印刷専用の画像形成部によって記録用紙Ｐの第２面のみに印刷され、搬送ローラ対１３５、１３６、４００、４０２により搬送され、第３の排紙ローラ対１２６、第１の排紙ローラ対４０６によって第３の排紙トレイ１１７または第１の排紙トレイ４０８に記録データに記憶された画像情報から判断されるカールの状態により選択的に排紙される。フェースアップ（印刷面が上向きの状態）で排紙する片面印刷のみを行なう場合は、記録用紙Ｐは、両面印刷する場合の第１面印刷専用の画像形成部によって記録用紙Ｐの第１面のみに印刷され、第２面印刷専用の画像形成部の印刷をスルーさせ、搬送ローラ対１３５、１３６、４００により搬送され、第３の排紙ローラ対１２６、第２の排紙ローラ対４０５、第３の排紙トレイ１１７または第２の排紙トレイ４０７に記録データに記憶された画像情報から判断されるカールの状態により選択的に排紙される。
【００３２】
例えば、片面印刷を行う場合のフェースアップ排紙、フェースダウンの排紙ともに、画像情報から判断されるカールの状態が、画像面積率が低くカールを矯正する必要がないと判断された場合には、第３の排紙トレイ１１７に選択的に排紙される。
【００３３】
次に、図３を用いてインクジェット記録装置１の制御回路構成について説明をする。
【００３４】
インクジェット記録装置１は、プロセッサであるＣＰＵ（中央制御装置）２０１と、各種プログラムなどを記憶しているＲＯＭ（リード・オンリー・メモリ）２０２と、ワーキングメモリなどのＲＡＭ（ランダム・アクセス・メモリ）２０３と、外部とのデータの授受を行う外部インターフェース（外部Ｉ/Ｆ）２０４を備えている。また、インクジェット記録装置１は、複数のインクジェット記録ヘッド１１５Ｂｋ，１１５Ｙ，１１５Ｍ，１１５Ｃ，３１５Ｂｋ，３１５Ｙ，３１５Ｍ，３１５Ｃを駆動制御するインクジェット記録ヘッド駆動制御回路２１１を備えている。また、インクジェット記録装置１は、給紙ローラ１０２,１０３に接続している複数の給紙ローラモータ２１５、駆動ローラ１０８，３０８に接続している複数の駆動ローラモータ２１６、搬送ローラ対１０５などの各搬送ローラ対に接続している複数の搬送ローラモータ２１７と、搬送ガイド４０３，４０４に接続している複数のソレノイド２１８と、排紙ローラ対１２６，４０４，４０６などに接続している排紙ローラ対モータ２１９と、などを駆動制御するモータ駆動制御回路２１４を備えている。また、インクジェット記録装置１は、インクジェット記録装置１の動作環境の詳細設定などをするためのボタンなどを備えた操作パネル２０７を制御する操作パネル制御回路２０６と、ファン１１０，３１０に接続しているファンモータ２２３を駆動制御するファンモータ駆動制御回路２２２などを備えている。ＣＰＵ２０１、ＲＯＭ２０２、ＲＡＭ２０３、外部Ｉ/Ｆ２０４、操作パネル制御回路２０６、インクジェット記録ヘッド駆動制御回路２１１、モータ駆動制御回路２１４及びファンモータ駆動制御回路２２２は、バス２０５を介して接続している。
【００３５】
続いて図４および図５を用いて本実施の形態の作用について説明する。
【００３６】
ＣＰＵ２０１は、外部Ｉ/Ｆ２０４を介して印刷指示を受信したならば、送信されてきた指示が両面印刷か否かを判断する（作用１０１：以降Ａ１０１に省略する）。ＣＰＵ２０１は、送信されてきた指示が両面印刷であるとあると判断すると（Ａ１０１のＹ）、第１面および第２面の記録データをＲＡＭ２０３の所定の領域に一時記憶させる（Ａ１０２）。両面印刷の際、先に印刷される面を第１面、後に印刷される面を第２面とする。
【００３７】
ＣＰＵ２０１は、第１面および第２面の画像情報解析を行う（Ａ１０３）。ＣＰＵ２０１は、第１面の画像面積率Ａを取得する（Ａ１０４）。ＣＰＵ２０１は、第２面の画像面積率Ｂを取得する（Ａ１０５）。ＣＰＵ２０１は、第１面および第２面の画像面積率の比較を行う（Ａ１０６）。
【００３８】
片面印刷を行う場合、すなわちＣＰＵ２０１送信されてきた指示が片面印刷であるとあると判断すると（Ａ１０１、Ｎｏ）、画像形成面の記録データをＲＡＭ２０３の所定の領域に一時記憶させる（Ａ１１２）。ＣＰＵ２０１は、画像情報解析を行う（Ａ１１３）。ＣＰＵ２０１は、画像面積率を取得する（Ａ１１４）。
【００３９】
Ａ１０６及びＡ１１４の処理の後に、ＣＰＵ２０１は、ＲＡＭの所定領域に一時記憶させた画像面積率と、ＲＯＭ２０２の所定領域に予め記憶している用紙カールの情報とから、排紙される印刷物のカールの状態が予測され、予測されたカールの状態と、印刷面の上下により、３種類の排紙トレイ１１７、４０７、４０８のうちいずれに排紙するかを処理する（Ａ１２１）。Ａ１２１の詳細については図５を用いて後述する。ＣＰＵ２０１は、Ａ１２１の処理結果に基づいて、インクジェット記録ヘッド駆動制御回路２１１、モータ駆動制御回路２１４などに指示を出して印刷動作を実行させる（Ａ１２３）。すなわちＣＰＵ２０１が予測した記録用紙の湾曲方向と排紙トレイの排紙面両端部と中央部の湾曲方向が逆の関係になるように、前記第２の排紙トレイまたは前記第１の排紙トレイへ記録用紙の排紙先を決定し、前記第２の排紙トレイまたは前記第１の排紙トレイへ記録用紙を排紙させる。
【００４０】
次に、図５を用いてＡ１２１の作用について詳細に説明をする。第１面と第２面の画像面積率を比較したとき、相対的に画像面積率の大きい面側が凸となる。
【００４１】
図５（ａ）は両面印刷を行なう場合を示す図である。ＣＰＵ２０１は、第１面の画像面積率Ａと第２面の画像面積率Ｂとの差が、同じかまたは特定の範囲Ｎ以内であるか否かを判断する。ＣＰＵ２０１は、第１面の画像面積率Ａと第２面の画像面積率Ｂとの差が、同じかまたは特定の範囲Ｎ以内であると判断したならば（Ａ２０１、Ｙ）、第３の排紙ローラ対１２６及び第３の排紙トレイ１１７側に記録用紙Ｐが排出されるように、搬送ガイド４０３を移動させる情報をＲＡＭ２０３の所定領域に記憶させる（Ａ２１１）。ＣＰＵ２０１は、排紙時に第３の排紙ローラ対１２６を駆動させる情報をＲＡＭ２０３の所定領域に記憶させる（Ａ２１２）。またステップＡ２０１において、画像面積率の代わりにインク総量を比較しても良い。
【００４２】
ＣＰＵ２０１は、第１面の画像面積率Ａと第２面の画像面積率Ｂとの差が、特定の範囲Ｎよりも大きい値であると判断したならば（Ａ２０１、Ｎ）、第１面の画像面積率Ａのほうが第２面の画像面積率Ｂよりも大きいか否かを判断する（Ａ２２２）。ＣＰＵ２０１は、第１面の画像面積率Ａの方が第２面の画像面積率Ｂよりも大きいと判断した場合は（Ａ２２１、Ｙ）、第１面側を上方に向けて排紙を行うか否かを判断する（Ａ２２２）。ＣＰＵ２０１は、第１面側を上方に向けて排紙を行うと判断した場合（Ａ２２２のＹ）、第２の排紙ローラ対４０５及び第２の排紙トレイ４０７側に記録用紙Ｐが排出されるように、搬送ガイド４０４を移動させる情報をＲＡＭ２０３の所定領域に記憶させる(Ａ２２３）。ＣＰＵ２０１は、排紙時に第２の排紙ローラ対４０５を駆動させる情報をＲＡＭ２０３の所定領域に記憶させる（Ａ２２４）。
【００４３】
ステップＡ２２２において、ＣＰＵ２０１は、第１面側を上方に向けて排紙を行うと判断しなければ、すなわち、第２面側が上面である場合（Ａ２２２、Ｎ）、第１の排紙ローラ対４０６及び第１の排紙トレイ４０８側に記録用紙Ｐが排出されるように、搬送ガイド４０４をそのままにさせる情報をＲＡＭ２０３の所定領域に記憶させる（Ａ２２５）。Ａ２２５はそのままなので省略してもよい。ＣＰＵ２０１は、排紙時に第１の排紙ローラ対４０６を駆動させる情報をＲＡＭ２０３の所定領域に記憶させる（Ａ２２６）。
【００４４】
Ａ２２１において、ＣＰＵ２０１は、第１面の画像面積率Ａのほうが第２面の画像面積率Ｂよりも小さいと判断した場合（Ａ２２１、Ｎ）、第２面側を上方に向けて排紙を行うか否かを判断する（Ａ２３２）。ＣＰＵ２０１は、第２面側を上方に向けて排紙を行うと判断したならば（Ａ２３２のＹ）、第１の排紙ローラ対４０６及び第１の排紙トレイ４０８側に記録用紙Ｐが排出されるように、搬送ガイド４０４をそのままにさせる情報をＲＡＭ２０３の所定領域に記憶させる（Ａ２３３）。Ａ２３３はそのままなので省略してもよい。ＣＰＵ２０１は、排紙時に第１の排紙ローラ対４０６を駆動させる情報をＲＡＭ２０３の所定領域に記憶させる（Ａ２３４）。
【００４５】
ステップＡ２３２において、ＣＰＵ２０１は、第２面側を上方に向けて排紙を行うと判断しなければ、すなわち、第１面が上面となって排紙される場合(Ａ２３２、Ｎ）、第２の排紙ローラ対４０５及び第２の排紙トレイ４０７側に記録用紙Ｐが排出されるように、搬送ガイド４０４を移動させる情報をＲＡＭ２０３の所定領域に記憶させる (Ａ２３５）。ＣＰＵ２０１は、排紙時に第２の排紙ローラ対４０５を駆動させる情報をＲＡＭ２０３の所定領域に記憶させる（Ａ２３６）。
【００４６】
図５（ｂ）は片面印刷を行なう場合を示す図である。ＣＰＵ２０１は、印刷面の画像面積率Ａが特定の範囲Ｎ以内であるか否かを判断する。（Ａ３０１）。ＣＰＵ２０１は、印刷面の画像面積率Ａが特定の範囲Ｎ以内であると判断した場合（Ａ３０１、Ｙ）、図５（ａ）で示したＡ２１１とＡ２１２と同様な処理を行う。またステップＡ３０１において、画像面積率の代わりにインク総量を比較しても良い。
【００４７】
ＣＰＵ２０１は、印刷面の画像面積率Ａが特定の範囲Ｎよりも大きい値であると判断した場合（Ａ３０１、Ｎ）、印刷面が上面となって排紙を行うか否かを判断する（Ａ３２１）。ＣＰＵ２０１は、印刷面が上面となって排紙を行うと判断した場合（Ａ３２１、Ｙ）、第２の排紙ローラ対４０５及び第２の排紙トレイ４０７側に記録用紙Ｐが排出されるように、搬送ガイド４０４を移動させる情報をＲＡＭ２０３の所定領域に記憶させる (Ａ３２２）。ＣＰＵ２０１は、排紙時に第２の排紙ローラ対４０５を駆動させる情報をＲＡＭ２０３の所定領域に記憶させる（Ａ３２３）。
【００４８】
ステップＡ３２１において、ＣＰＵ２０１は、印刷面が下面となって排紙を行うと判断した場合（Ａ３２１、Ｎ）、第１の排紙ローラ対４０６側に記録用紙Ｐが排出されるように、搬送ガイド４０４をそのままにさせる情報をＲＡＭ２０３の所定領域に記憶させる（Ａ３２５）。Ａ３２５はそのままなので省略してもよい。ＣＰＵ２０１は、排紙時に第１の排紙ローラ対４０６及び第１の排紙トレイ４０８を駆動させる情報をＲＡＭ２０３の所定領域に記憶させる（Ａ３２６）。
【００４９】
複数枚印刷を行なう場合は画像面積率から全枚数のカールの度合いや方向を予測し、排紙トレイが選択される。
【００５０】
片面印刷を行なう場合は同じ排紙トレイが選択される。
【００５１】
両面印刷を行なう場合、例えば印刷濃度や明るさ等の印刷条件が同じときは同じ排紙トレイが選択される。一方、各々の印刷条件が異なるときは、全印刷条件における表面と裏面の総インク総量の関係からカールの度合いや方向を予測し、排紙トレイが選択される。
【００５２】
カールの矯正は印刷直後に行なうほど効果が高まる。印刷直後は水性インクがまだ乾いていないため、その自重により矯正されることができ、より記録用紙のカールを低減できる。また印刷後は、記録用紙が排紙トレイ上に長時間保管されることにより、いっそうカールの低減効果を高めることができる。
【００５３】
以下、インクジェット記録装置１の画素パターン形成工程を構成する各部について説明する。インクを吐出して記録用紙Ｐにインク画素層を形成する各インクジェット記録ヘッド１１５、３１５が配置されている。インクジェット記録ヘッド１１５、３１５の詳細説明及び印刷方式に関しては、前述しているので省略する。
【００５４】
各色インクは、前述したものと同様、ブラック（Ｂｋ）、イエロー（Ｙ）、シアン（Ｃ）、およびマゼンタ（Ｍ）で、固形分や添加剤以外の組成のうち３０〜８０重量％程度水分の水性インクを用いる。
【００５５】
以上説明した記録装置１は、課題を解決するための一実施例であり、構成ならびに各構成手段作用はこれに限るものではなく、また、インクジェット記録ヘッドによる記録用紙Ｐへの画像形成時の用紙搬送手段が無端帯状のベルトタイプのものであっても、円筒状のドラムタイプのものであってもよい。
【００５６】
上記実施例で説明したように、単色または複数色のインクジェット記録ヘッドと、記録用紙を保管する用紙カセットと、記録用紙を搬送する記録用紙搬送手段と、記録用紙の表裏を反転させる記録用紙反転手段と、画像形成され排出された記録用紙を一定時間蓄えておく複数の排紙トレイを備えたインクジェット記録装置において、画像形成することによりインクが付着してカールする記録用紙のカール向きに応じて選択的に排紙トレイを決定し排紙することで、両面に画像が形成される場合は、記録用紙が積載される面が平らな排紙トレイを選択し、印刷面が上側排紙下側排紙にかかわらず、下側に凸になるようなカールが発生する場合は、記録用紙が積載される面の中央部面が高い排紙トレイを選択し、印刷面が上側排紙下側排紙にかかわらず、上側に凸になるようなカールが発生する場合は、記録用紙が積載される面の両端部面が高い排紙トレイを選択し排出することで排紙後のカールをできる限り矯正することができ、カールを低減させた印刷画像（印刷物）を提供できる。すなわち、記録用紙の湾曲方向と排紙トレイの排紙面の湾曲方向が逆の関係になるように、記録用紙は排紙される。
【００５７】
本実施の形態では、主に記録用紙の湾曲方向に基づいて排紙トレイを決定しているが、記録用紙の排出トレイが１枚ごとに異なると、搬送ガイドの切り替え及び排紙ローラ対の切り替えが追い付かず記録用紙の出力速度が落ちることもある。したがって、記録用紙の湾曲度合いを考慮して排紙トレイの切り替え頻度を少なくさせてもよい。また、すべての排紙ローラ対は常に回転させておくようにしてもよい。
【００５８】
本実施の形態では、第１面用のインクジェット記録ヘッド１１５と第２面用のインクジェット記録ヘッド３１５を設けて説明をしたが、これに限定されることはない。たとえば、第１面及び第２面を共通のインクジェット記録ヘッドを実現してもよい。この場合は、インクジェット記録装置内に周知の用紙反転装置を設ければよい。
【００５９】
また、第３の排紙トレイ１１７と第２の排紙トレイ４０７または、第１の排紙トレイ４０８のいずれか一方のみを使用する使い方でもよい。この場合は、レジストローラ対１０６に記録用紙の先端が到達する前に、ＣＰＵ２０１は、記録用紙はどちら側に凸状になるかを予測し、その予測と排出する第２の排紙トレイ４０７または第１の排紙トレイ４０８の形状が一致するように、インクジェット記録ヘッド１１５を第２面用のインクジェット記録ヘッドとして制御し、インクジェット記録ヘッド３１５を第１面用のインクジェット記録ヘッドとして制御させてもよい。
【００６０】
本実施の形態では、Ａ１２１までの処理を終了してから記録用紙を給紙ローラから給紙を始めてもよく、記録用紙の先端がレジストローラの手前に到達する前に完了させても、記録用紙の先端が搬送ガイド４０３の手前に到達する前に完了させてもよい。
【００６１】
以上説明したように、排紙される記録用紙に形成される画像の面積率やインク総量から、排紙される記録用紙カールの状態を予測し、複数パターンの記録用紙カールに応じて矯正および低減させるインクジェット記録装置を提供することができる。
【００６２】
本発明の実施形態を説明したが、この実施形態は例として提示したものであり、発明の範囲を限定することは意図していない。この新規な実施形態は、その他の様々な形態で実施されることが可能であり、発明の要旨を逸脱しない範囲で、種々の省略、置き換え、変更を行なうことができる。この実施形態やその変形は、発明の範囲や要旨に含まれるとともに、特許請求の範囲に記載された発明とその均等の範囲に含まれる。
【符号の説明】
【００６３】
１・・・インクジェット記録装置
１２６・・・第３の排紙ローラ対
４０５・・・第２の排紙ローラ対
４０６・・・第１の排紙ローラ対
１１７・・・第３の排紙トレイ
４０７・・・第２の排紙トレイ
４０８・・・第１の排紙トレイ
【図１】
2013144375.tif 000003
【図２】
2013144375.tif 000004
【図３】
2013144375.tif 000005
【図４】
2013144375.tif 000006
【図５】
2013144375.tif 000007